(57)【要約】【課題】  舞台等における演出効果としての川の流れ等の水の流れの表現を簡易な機構で実現することを目的とする。【解決手段】  台座２３に取り付けられたハンドル５を回転して第二のプーリー２を回転させ、第二のベルト２９を介して、複数の円筒部材３のいずれか一つの円筒部材３（第一のプーリー２１）を回転させることになり、第一のベルト２７を介して、他の全ての第一のプーリー２１を回転させ、全ての円筒部材３を回転させ、円筒部材３に接着されていた帯状部材２５が回転することになり、帯状部材２５による波の動作を行わせ、川の流れ等の水の流れを表現することを可能にする舞台装置を提供する。【選択図】  図１
0003104589.tif 000002
【実用新案登録請求の範囲】
【請求項１】
外周面に帯状部材が複数接着され、中心軸を中心に円周方向に回転可能となるように舞台面に対して平行に並べられた複数の円筒部材と、
前記舞台面に対して平行に並べられた複数の前記円筒部材を収納し、位置決めするための複数の枠体と、
複数の、前記円筒部材を収納し、位置決めした前記枠体を前記舞台面に対して位置を固定するための台座と、
前記円筒部材の円周方向に複数の前記円筒部材を回転させることが可能な第一のベルトと、
前記台座から複数の前記円筒部材のいずれか一つの前記円筒部材に回転を伝達するための第二のベルトと、を備えたことを特徴とする舞台装置。
【請求項２】
前記舞台面に対して平行に並べられた複数の前記円筒部材は、前記舞台面に対して傾斜をなしていることを特徴とする請求項１に記載の舞台装置。
【請求項３】
前記円筒部材の中心を通る中心軸の端部には、前記第一のベルトをかけることが可能な第一のプーリーが取り付けられていることを特徴とする請求項１又は２に記載の舞台装置。
【請求項４】
複数の前記円筒部材のいずれか一つの前記円筒部材に回転を伝達するための第二のベルトは、複数の前記円筒部材のいずれか一つの前記円筒部材に取り付けられた第一のプーリーと前記台座に取り付けられた第二のプーリーとにかけられていることを特徴とする請求項１乃至３のいずれかに記載の舞台装置。
【請求項５】
前記円筒部材の内部には、前記円筒部材の円筒形状を維持するとともに、前記中心軸を固定することが可能な支持部材が組み込まれていることを特徴とする請求項１乃至４のいずれかに記載の舞台装置。
【請求項６】
前記円筒部材の内部には、前記円筒部材の外周面の円周形状を維持するために樹脂部材が充填されていることを特徴とする請求項１乃至５のいずれかに記載の舞台装置。
【考案の詳細な説明】
【技術分野】
【０００１】
本考案は、演出効果としての水の流れを表現することが可能な舞台装置に関する。
【背景技術】
【０００２】
歌舞伎等を含めた演劇等が行われる舞台においては、演出効果として自然の景観を醸し出した方が、舞台で演じられる演技の効果を高められる場合がある。そこで、本物の水を用いて演出する方法が種々提案されている。一般的には、本物の水を用いることで舞台で自然現象である雨、或いは川といった自然の景観を表現しているというのが現実である。
【０００３】
例えば、図６に示す装置においては、実際の水を用いることで舞台における演出効果を高めることを可能にしている。この装置１００では、ポンプ１３０によって配管１４０を介して水槽１１０内の水を水滴噴出管１７０に供給し、そのノズル１７０ａから水滴を噴出させ、流体スクリーン２５０を形成する。流体スクリーン２５０を形成した水滴は水槽１１０に落下し、再びポンプ１３０で水滴噴出管１７０に循環される。次に前記流体スクリーン２５０の両側に設置した映写装置１９０、２１０より流体スクリーン２５０の両面にそれぞれ光を投射して流体スクリーン２５０上に映像を結像させる。
【０００４】
両映写装置１９０、２１０から流体スクリーン２５０上に投射される光の投射タイミングは逆となっており、映写装置１９０がオンとなって光を投射しているときは映写装置２１０はオフとなって光を投射せず、映写装置１９０がオフとなって光を投射しないときは映写装置２１０はオンとなって光を投射する。このとき流体スクリーン２５０上の同一場所に同時には両映写装置１９０、２１０から光が投射されないので、両投射光は干渉等せず、いずれの映像も鮮明となり、演出効果を一段と向上させることができるというものである（特許文献１参照）。
【０００５】
【特許文献１】特開平５−２７６９５号公報（段落００１１から段落００１３、図１）
【考案の開示】
【考案が解決しようとする課題】
【０００６】
しかしながら、上記のような舞台において水を利用した演出効果を得るための表現では、ポンプ等の電気機器を使用して水そのものを汲み上げる等の作業が必要になっている。水の量が少なければ小型のポンプを用いることで対処することも可能であるが、水を利用した演出効果において川の流れのようなことを表現するとなると大がかりなものとなり小型のポンプでは対処しきれず、大型のポンプを用いなければならなくなる。特に、そのような大がかりなものとなると、装置の製作にばく大な費用がかかるとともに、ポンプに費やす電力消費量もかなりな量にならざるを得ないというのが現実である。
【０００７】
本考案は、上記の事情に鑑みなされたものであり、舞台等における演出効果において川の流れ等の水の流れの表現を簡易な機構で実現する舞台装置を提供することを目的とする。
【課題を解決するための手段】
【０００８】
上記の目的を達成するために、請求項１に記載の考案は、外周面に帯状部材が複数接着され、中心軸を中心に円周方向に回転可能となるように舞台面に対して平行に並べられた複数の円筒部材と、前記舞台面に対して平行に並べられた複数の前記円筒部材を収納し、位置決めするための複数の枠体と、複数の、前記円筒部材を収納し、位置決めした前記枠体を前記舞台面に対して位置を固定するための台座と、前記円筒部材の円周方向に複数の前記円筒部材を回転させることが可能な第一のベルトと、前記台座から複数の前記円筒部材のいずれか一つの前記円筒部材に回転を伝達するための第二のベルトと、を備えたことを特徴とする。
【０００９】
従って、請求項１に記載の考案によれば、台座からの回転を第二のベルトを介して複数の円筒部材のいずれか一つの円筒部材へ伝達することにより、その円筒部材からの回転が他の複数の円筒部材へ伝達され、複数の円筒部材が回転することで円筒部材に接着されていた帯状部材も回転することになり帯状部材による波の動作を行うことを可能にする。
【００１０】
また、請求項２に記載の考案は、請求項１に記載の構成に加え、前記舞台面に対して平行に並べられた複数の前記円筒部材は、前記舞台面に対して傾斜をなしていることを特徴とする。
【００１１】
従って、請求項２に記載の考案によれば、舞台面に対して平行に並べられた複数の前記円筒部材は、前記舞台面に対して傾斜をなしているので、複数の円筒部材が回転して、複数の円筒部材に接着されている帯状部材が回転したときに波の動作をより明確にすることが可能になる。
【００１２】
さらに、請求項３に記載の考案は、請求項１又は２に記載の構成に加え、前記円筒部材の中心を通る中心軸の端部には、前記第一のベルトをかけることが可能な第一のプーリーが取り付けられていることを特徴とする。
【００１３】
従って、請求項３に記載の考案によれば、円筒部材の中心を通る中心軸の端部にはプーリーが取り付けられて、第一のベルトがかけられることになるので、複数の円筒部材のいずれか一つの円筒部材が回転すると、他の全ての円筒部材を回転させることが可能になる。
【００１４】
また、請求項４に記載の考案は、請求項１乃至３のいずれかに記載の構成に加え、複数の前記円筒部材のいずれか一つの前記円筒部材に回転を伝達するための第二のベルトは、複数の前記円筒部材のいずれか一つの前記円筒部材に取り付けられた第一のプーリーと前記台座に取り付けられた第二のプーリーとにかけられていることを特徴とする。
【００１５】
従って、請求項４に記載の考案によれば、複数の円筒部材のいずれか一つの円筒部材に取り付けられた第一のプーリーと台座に取り付けられた第二のプーリーとに、第二のベルトがかけられているので、第二のプーリーを回転させることで第二のプーリーの回転を円筒部材に取り付けられた第一のプーリーに伝達することが可能になり、第一のプーリーを回転させて円筒部材を回転させることが可能になる。
【００１６】
さらに、請求項５に記載の考案は、請求項１乃至４のいずれかに記載の構成に加え、前記円筒部材の内部には、前記円筒部材の円筒形状を維持するとともに、前記中心軸を固定することが可能な支持部材が組み込まれていることを特徴とする。
【００１７】
従って、請求項５に記載の考案によれば、円筒部材の内部には、円筒部材の内周面から中心に向けて延びるように支持部材が設けられているために、円筒部材が回転しても円筒形状を維持することが可能であるとともに、円筒部材の中心を通る中心軸を固定することが可能になる。
【００１８】
また、請求項６に記載の考案は、請求項１乃至５のいずれかに記載の構成に加え、前記円筒部材の内部には、前記円筒部材の外周面の円周形状を維持するために樹脂部材が充填されていることを特徴とする。
【００１９】
従って、請求項６に記載の考案によれば、円筒部材の内部に樹脂部材を充填することで、円筒部材の内部より円筒部材の外周面の円周形状の維持を図っているので、円筒部材が回転しても円筒部材の外周面の円周形状を維持することが可能になる。
【考案の効果】
【００２０】
本考案によれば、大型のポンプや、大がかりな装置を必要とすることなく、手動により、ハンドルを回転し第二のプーリーを回転させて、第二のベルトを介して、複数の円筒部材のいずれか一つの円筒部材を回転させ、第一のベルトを介して、その円筒部材からの回転を他の複数の円筒部材へ伝達し、複数の円筒部材が回転することで円筒部材に接着されていた帯状部材を回転させることで帯状部材（テープ）による波の動作を行い、川の流れ等の水の流れを表現することができる。
【考案を実施するための最良の形態】
【００２１】
以下、本考案を実施するための最良の形態について図面を参照して説明する。
【００２２】
図１には、本考案である舞台装置１の概略が示されている。図１に示すように、本考案である舞台装置１では、歌舞伎等の演劇を行う舞台面３０に対して円筒部材３を平行なるように複数並べ、その複数並べた円筒部材３を傾斜させて（例えば、θ＝１８°に傾かせて）、位置決めして保持し、複数の円筒部材３のうちいずれかの円筒部材３と、その円筒部材３を回転させるために、台座２３から円筒部材３を回転するための回転力を付与するためのハンドル５に連結されている。そして、各円筒部材３は、図１及び図２に示すように、枠体６の中に収納され、枠体６内で円筒部材３の中心軸１２を中心に円周方向に回転可能となるように位置決めされている。
【００２３】
本考案である舞台装置１を構成するこの円筒部材３は、図２に示すような構成をなしており、円筒部材３の中心には中心軸１２が通されており、円筒部材３内には支持部材１５が組み込まれている。支持部材１５は、図２に示すように、円筒部材の内周面から中心に向けて延びるように組み込まれている。この支持部材１５は、円筒部材３がしなったり、ねじれたりすることを防止し、強度を保つために（円筒形状を維持するために）組み込まれている。また、円筒部材３の所々に円板形状の側板１１が設けられている。この円板形状の側板１１も支持部材１５と同様に円筒部材３の強度を保つ働きをなしている。
【００２４】
そして、この支持部材１５には、円筒部材３の中央部で中心軸１２を保持するために固定部材１７が取り付けられている。固定部材１７は、図２に示すように、中心軸１２の側面を囲むように中心軸１２を挟み込んでいる。本例においては、このようにして７箇所で中心軸１２を固定部材で挟み込んでいるが、７箇所に限定されることなく、円筒部材３の長さに応じて多くしたり、少なくしたりすることになる。なお、本例においては、固定部材１７を用いて中心軸１２を保持しているが、固定部材１７を用いることなく、直接支持部材１５で中心軸１２を挟み込んで保持することも可能である。
【００２５】
この円筒部材３の中の、支持部材１５同士の隙間には発泡スチロール９が充填されている。この発泡スチロール９を充填することで円筒形状の円筒面の維持を図ることが可能になっている。そして、この円筒部材３の外周面には綿布１９が巻回されている。その円筒部材３の綿布１９が巻回された外周面には、図３に示すように、帯状部材である多数のテープ２５が接着されている。円筒部材３に接着されるテープ２５の幅は円筒部材の長手方向の長さとほぼ同じ大きさである。また、円筒部材３の外周面にテープ２５を接着する間隔やテープの長さは特に限定していないが、円筒部材３を回転させたときに円筒部材３の綿布が外部から見えなくなることが必要である。
【００２６】
以上の構造をなす円筒部材３は、枠体６に組み込まれることになる。枠体６は、図４及び図５に示すように、かごの形状をなしている。枠体６は円筒部材３を位置決めして保持できればよいので、円筒部材３が外部から見えないように覆い隠す必要はなく、図４及び図５に示すように、複数の棒状部材８を組み合わせて構成されている。そして、円筒部材３の端面３ａ、３ｂに対応する位置の枠体６の棒状部材８には受け部材１０が設けられており、受け部材１０には図示しない軸受が組み込まれており、円筒部材３から延びている中心軸１２を支持することになる。それ故、枠体６の受け部材１０により、円筒部材３が回転可能になっている。
【００２７】
さらに、円筒部材３の端面３ａ側の中心軸１２の端部にはプーリー（第一のプーリー）２１が取り付けられており、円筒部材３が回転するとプーリー２１も回転するようになっている。以上のような円筒部材３を収納している枠体６を複数連結し、円筒部材３が平行に並ぶようにして、傾斜させる（例えば、θ＝１８°に傾かせる）ことになる。そして、その傾斜した状態を保持するために、図１に示すように、台座２３を枠体６の下面側に配置することになる。この台座２３には、複数の円筒部材３のいずれかと対応する位置にハンドル５を備えたプーリー２が取り付けられており、ハンドル５を図１に示す矢印方向Ａに回転するとプーリー２も矢印方向Ａに回転するようになっている。なお、このハンドル５は手動で動かすことが可能であるが、電動で動かせるようにすることも可能である。
【００２８】
本例においては、一番高い位置にある（最も外側にある）円筒部材３の真下となる位置にハンドル５を備えたプーリー（第二のプーリー）２が設けられている。そして、それぞれの円筒部材３のプーリー２１は、図１に示すように、可撓性のあるベルト（第一のベルト）２７を介して、それぞれの回転を伝達できるようになっている。また、一番高い位置にある（最も外側にある）円筒部材３のプーリー２１とハンドル５を備えたプーリー２とにも可撓性のあるベルト（第二のベルト）２９がかけられ、ハンドル５の回転によるプーリー２の回転を一番高い位置にある（最も外側にある）円筒部材３のプーリー２１へ伝達できるようになっている。
【００２９】
つぎに、この本考案である舞台装置１の動作について説明する。ハンドル５を図１に示す矢印方向Ａへ回転させる。ハンドル５の回転に伴って、このハンドル５を備えたプーリー２も矢印方向Ａへ回転する。この回転に伴って、可撓性のベルト２９が移動することになり、この可撓性のベルト２９がかかっている一番高い位置にある（最も外側にある）円筒部材３のプーリー２１にもこの可撓性のベルト２９の移動が伝達され、プーリー２１が回転し始める。この回転方向も矢印方向Ａである。
【００３０】
プーリー２１の回転とともにこのプーリー２１が取り付けられている円筒部材３も、矢印方向Ａに沿って回転する。また、プーリー２１の回転により、可撓性のベルト２７が移動する。この移動が可撓性のベルト２７がかけられている他の全てプーリー２１へ伝達される。その結果、全てのプーリー２１が回転するとともに、プーリー２１が取り付けられている全ての円筒部材３が回転する。
【００３１】
そうすると、全ての円筒部材３に接着されているテープ２５も動き出す。テープ２５は円筒部材３の回転に合わせて動き、基本的にはテープ２５も円筒部材３とともに回転する動きをなすが、テープ２５の長さによっては、特にテープ２５の長さが長くなるような場合には円筒部材３の回転に十分に追従できない場合もあり、その場合にはちょうどテープ２５が波を打ったような状態になる。
【００３２】
特に、舞台面３０に対して平行に並べられた複数の円筒部材３は、舞台面３０に対して傾斜をなしているので、傾斜の上から下までのテープ２５の波を打ったような状態から川の流れ等の水の流れの状態を実現し易くなる（波の動作をより明確にすることが可能になる）。そして、そのような状態が継続することにより、舞台装置全体としての動作が川の流れ等の水の流れを表現することになる。
【図面の簡単な説明】
【００３３】
【図１】本考案である舞台装置の全体を示す側面図である。
【図２】本考案である舞台装置の円筒部材の内部を示す説明図である。
【図３】円筒部材を枠体に組み込んだ状態を示す説明図である。
【図４】円筒部材を組み込んだ枠体の底面図である。
【図５】円筒部材を組み込んだ枠体の側面図である。
【図６】流体スクリーン映像装置を示す説明図である。（ａ）は流体スクリーン映像装置の側面図である。（ｂ）は流体スクリーン映像装置の側面図である。
【符号の説明】
【００３４】
１            舞台装置
２、２１      プーリー
３            円筒部材
５            ハンドル
６            枠体  
８            棒状部材
９            発泡スチロール
１０            受け部材
１１            円板形状の側板
１２            中心軸
１５            支持部材
１７            固定部材
１９            綿布
２３            台座
２５            テープ（帯状部材）
２７、２９      可撓性のベルト
【図１】
0003104589.tif 000003
【図２】
0003104589.tif 000004
【図３】
0003104589.tif 000005
【図４】
0003104589.tif 000006
【図５】
0003104589.tif 000007
【図６】
0003104589.tif 000008